(57)【要約】      （修正有）【課題】補助犬および身体障害者の存在を、夜間の照明の乏しい路上等で充分にアピールし、視認できる補助犬のハーネス用ハンドルを提供する。【解決手段】把持部１の両端から延びる一対の棒状部２の先端に環状の係止具３を連結し、この係止具３によって盲導犬Ｃに装着されたハーネス４に着脱可能であり、棒状部２に、その全表面を覆うように粒径２０〜３００μｍの蓄光性顔料を含有する蓄光性塗膜層５が塗装されている補助犬のハーネス用ハンドルＡとする。【選択図】図１
0003211122.tif 000002
【実用新案登録請求の範囲】
【請求項１】
棒状部を有するハンドルの前記棒状部の先端に係止具を設け、この係止具で補助犬用ハーネスに着脱可能なハーネス用ハンドルにおいて、
前記棒状部の表面を覆うように、蓄光性顔料を含有する蓄光性塗膜層を設けたことを特徴とする補助犬のハーネス用ハンドル。
【請求項２】
前記棒状部を有するハンドルが、Ｕ字状ハンドル、一部の辺が開放された多角形状のハンドル、Ｖ字状ハンドルまたはＬ字状ハンドルである請求項１に記載の補助犬のハーネス用ハンドル。
【請求項３】
前記蓄光性顔料が、粒径２０〜３００μｍの蓄光性顔料である請求項１または２に記載の補助犬のハーネス用ハンドル。
【請求項４】
前記蓄光性塗膜層の表側に、耐傷性のある樹脂で透明ハードコート層を設けた請求項１〜３のいずれかに記載の補助犬のハーネス用ハンドル。
【考案の詳細な説明】
【技術分野】
【０００１】
この考案は、身体障害者を補助する盲導犬、介助犬、聴導犬等の補助犬のハーネスに接続して用いられるハンドルに関するものである。
【背景技術】
【０００２】
一般に、視覚、聴覚その他の知覚機能や運動機能に障害を有する身体障害者が利用する補助犬には、胴体に装着される胴輪であるハーネスが取り付けられ、さらにこのハーネスには、略Ｕ字状等の適当な形状のハンドルが取り付けられており、このハンドルを把持する身体障害者が補助犬に導かれ、または身体障害者が補助犬をコントロールすることができる。
【０００３】
補助犬を伴って屋外を歩行する身体障害者は、人や自動車、自転車などの急な動きを素早く感知できないので、予め、周囲の自動車や自転車の運転者または他の歩行者から、位置、移動速度や移動方向を認識されることが好ましい。特に、身体障害者が夜間に外出する場合には、自身の衣服や持ち物、またはハーネスやハンドルなどに反射板や蛍光（蓄光）性の素材を用いたラベルを取り付ける等して、安全を図る対応が適切である。
【０００４】
例えば、盲導犬用ハーネスのハンドルまたは犬の引紐の一部に、略楕円球状の光の反射体を１〜２個取り付けたものが知られている（特許文献１。）
【０００５】
また、犬等のペットが交通事故にあわないように、蓄光顔料を含有する繊維からなる糸を用いたハーネスおよびリードが知られている（特許文献２）。
【先行技術文献】
【特許文献】
【０００６】
【特許文献１】特開平１１−１５５４１１号公報
【特許文献２】実用新案登録第号３１２２９６０号公報
【考案の概要】
【考案が解決しようとする課題】
【０００７】
しかし、上記した従来の補助犬のハーネス用ハンドルでは、夜間の暗がりでハーネスのハンドルに偶然に光が当たった場合、その部分が反射体によって光を反射して周囲から視認は可能であるが、例えば自動車や自転車の前照灯による光が届かない距離からの視認や、直接に反射光が目に入らない角度からは、補助犬や身体障害者が確実に視認されるとはいえない。
【０００８】
また、繊維に蓄光顔料を保持させた糸を用いたハーネスおよびリードでは、繊維に保持されている蓄光顔料の粒径が非常に小さく、また保持量も少ないので、編織布の単位面積当たりの燐光による光量が少なく、また発光持続時間が短くて燐光によって補助犬および身体障害者の存在を、夜間の照明の乏しい路上等で充分にアピールすることが難しいという問題点がある。
【０００９】
そこで、この考案の課題は、上記した問題点を解決し、補助犬および身体障害者の存在を、夜間の照明の乏しい路上等でも充分にアピールし、より確実に視認できるようにすることである。
【課題を解決するための手段】
【００１０】
上記の課題を解決するために、この考案では、棒状部を有するハンドルの前記棒状部の先端に係止具を設け、この係止具で補助犬用ハーネスに着脱可能なハーネス用ハンドルであって、前記棒状部の表面を覆うように、蓄光性塗膜層を設けた補助犬のハーネス用ハンドルとしたのである。
【００１１】
上記したように構成されるこの考案の補助犬のハーネス用ハンドルは、ハーネスに取り付けられた状態で、夜間の暗い使用状態で棒状部を覆う蓄光性塗膜層が、比較的粒径の大きい蓄光性顔料を含有する。ハーネス用ハンドルは、そのような蓄光性顔料により予め蓄えられていた視認性の高い光量の燐光を発することができ、また燐光の持続時間も粒径の大きな蓄光性顔料ほど長いので、使用に充分な長時間に亘って燐光を発せられる。
前記棒状部を有するハンドルの形状は、例えば、Ｕ字状ハンドル、コ字状ハンドル、Ｖ字状ハンドルまたはＬ字状ハンドルであるものであっても、上記同様の作用効果がある。
【００１２】
上記の所要強度の光量および持続時間の燐光を発せられる蓄光性顔料としては、粒径２０〜３００μｍの蓄光性顔料を用いることが好ましい。
【００１３】
また、前記蓄光性塗膜層の表側に、耐傷性のある樹脂で透明ハードコート層を設けることにより、蓄光性塗膜層は、外的要因によって傷つき難くなり、長期間使用しても視認性が低下し難く、使用耐久性に優れた補助犬のハーネス用ハンドルを実現できる。
【考案の効果】
【００１４】
この考案は、補助犬用ハーネスに着脱可能なハンドルの棒状部の表面を覆うように、所定粒径の蓄光性顔料を含有する蓄光性塗膜層を設けたので、夜間の照明のない路上等でも、補助犬および身体障害者の存在を充分にアピールして、周囲に居る人から認識できるようになって、交通事故を未然に防ぐことができ、また透明ハードコート層を設けて、より使用耐久性に優れた補助犬のハーネス用ハンドルになる利点がある。
【図面の簡単な説明】
【００１５】
【図１】実施形態の使用状態説明図
【図２】実施形態の斜視図
【図３】図２のIII-III線断面図
【図４】他の実施形態を示し、図３に対応する部分の断面図
【考案を実施するための形態】
【００１６】
この考案の実施形態を、以下に添付図面に基づいて説明する。
図１−４に示すように、実施形態の補助犬のハーネス用ハンドルＡは、略Ｕ字状ハンドルの中央を使用者Ｂの把持部１とし、この把持部１の両端から延びる一対の棒状部２の先端に環状の係止具３を連結し、この係止具３によって補助犬の代表例である盲導犬Ｃに装着されたハーネス４に着脱可能である。
【００１７】
図２に示すように、一対の棒状部２には、その全表面を覆うように所定粒径の蓄光性顔料を含有する蓄光性塗膜層５が塗装されており、さらにその表面には耐傷性のある透明なハードコート層６が重ねて一体に塗装され、全体を被覆している。
【００１８】
この発明に用いるハーネス用ハンドルＡの全体形状は、特に限定することなく周知形状のものを採用することができ、棒状部を有するハンドルが、例えば、Ｕ字状ハンドル、もしくはコ字状等のように一部の辺が開放された多角形状のハンドル、Ｖ字状ハンドルまたは棒状部が一本のＬ字状ハンドルが挙げられる。
【００１９】
ハンドルＡは、視覚障害者その他の身体障害者である使用者が手で把持可能な太さで短い棒状の把持部１と、その両端から同じ方向に延びる一対の棒状部２は一体に形成されている。
このようなハンドルＡ等の形態は、補助犬の体格や使用目的に応じて適宜に変更されるが、前述のように補助犬は、盲導犬ばかりでなく、介助犬、聴導犬等のように身体障害者を補助する犬であればよい。
【００２０】
把持部１および棒状部２の素材は、芯材７となる管状または柱状の部材を、天然皮革、合成皮革、その他の樹脂やゴムまたは編織布などを用いた複合素材からなり、引張強度の高い皮革状の外装材８で被覆しており、これによって手で触れた際の断熱性や吸湿性が適度であって滑り止め効果もあり、触感も良好にしている。
【００２１】
芯材７は、通常、鋼などの金属、またはカーボン、木材、樹脂などを用いた硬質のものであり、ハンドルに所要硬さをもたせて盲導犬の動きを視覚障碍者が感知しやすくしている。
【００２２】
ハーネス用ハンドルＡの略中央部分の把持部１は、使用者Ｂが片手で持ちやすい程度の１５〜２０ｃｍ程度の幅に形成されており、外装材８の上から皮革や樹脂などを巻き重ねて、握りやすい太さに調整されている。
【００２３】
棒状部２の先端には、皮革状の外装材８を折り返して環状部８ａを形成し、これに係止されたリング９を介して、通称、茄子鐶(ナスカン)と呼ばれる係止具３の回転リング部分３ａを連結している。
【００２４】
ちなみに、上記した係止具３は、圧縮コイルバネを内蔵するトリガー３ｂのスライド移動で開閉可能なものであるが、特に上記の形態に限定されるものではなく、開閉可能なリングやフック状の鐶からなるものが代表的なものであり、周知の丸鐶や角鐶、Ｃ鐶、レバー鐶などであってもよい。
【００２５】
また、棒状部２の表面を覆う蓄光性塗膜層５には、基材の樹脂成分に加えて粒径２０〜３００μｍの蓄光性顔料が添加成分として配合されている。
【００２６】
蓄光性顔料は、固体であって基材（バインダー）の樹脂と均一に混合・分散することができるものであり、できるだけ平滑な塗膜層が形成され、かつ所要強度の燐光を発し、さらに発光時間が少なくとも６０〜９０分またはそれ以上長くなるように、粒径２０〜３００μｍの蓄光性顔料を採用している。
【００２７】
また、できるだけ燐光の強度および発光の持続時間が長くなるように、その粒径は、塗膜の平滑性を損なわない程度に大きい方が好ましく、例えば５０〜３００μｍ、より好ましくは粒径１５０〜２５０μｍ程度の蓄光性顔料を採用できる。
【００２８】
蓄光性顔料としては、例えば紫青色、青緑色、黄緑色など、目立ちやすい色に発色する周知の材質のものを採用することができ、例えば、硫化カルシウム蛍光体、硫化亜鉛蛍光体の他に、アルミン酸ストロンチウム蛍光体が挙げられる。アルミン酸ストロンチウム蛍光体は、前記硫化亜鉛系のものに比べて残光輝度、残光時間共に１０倍程度長いので、採用することが好ましいものと言える。
市販のアルミン酸ストロンチウム蛍光体としては、ストロンチウムアルミネ−ト（根本特殊化学社製：「Ｎ夜光」ＮＥＷ−Ｇ３００Ｍ、ＮＥＷ−ＢＧ３００Ｍ、ＮＥＷ−Ｖ３００Ｍなど）が挙げられる。
これらの蓄光性顔料は、固体であるから、前記した所定粒径に粉砕して使用することができる。
【００２９】
また、上記の蓄光性顔料を含有する樹脂組成物（バインダー）からなる塗料であって、樹脂組成物に有機溶剤に混合・分散した液状塗料を用いることができる。
バインダーとしては、塗料用樹脂として既知のものが使用でき、水酸基、カルボキシル基、シラノ−ル基、エポキシ基などの架橋性官能基を含有するアクリル樹脂、ポリエステル樹脂、アルキド樹脂、フッ素樹脂、ウレタン樹脂、シリコン含有樹脂などの基体樹脂と、これらの官能基と反応しうるメラミン樹脂、尿素樹脂、（ブロック）ポリイソシアネ−ト化合物、エポキシ化合物または樹脂、カルボキシル基含有化合物または樹脂、酸無水物、アルコキシシラン基含有化合物または樹脂などの架橋剤とからなる組成物があげられる。基体樹脂と架橋剤との比率は、両成分の合計固形分を基準に、前者は５０〜９０重量％の範囲で調整可能である。
【００３０】
図３に示すように、上記のような液状塗料を棒状部２の外装材８の表面を覆うように、できれば全周面を塗装して蓄光性顔料を含有する蓄光性塗膜層５を形成する。塗装は、刷毛、スプレー、ディッピングなどの周知の塗装方法により、所要厚みに形成する。
【００３１】
また、図４に示すように、棒状部１２の芯材７に液状塗料を直接に塗装して、蓄光性顔料を含有する蓄光性塗膜層５を形成することもできる。
【００３２】
また、図３、４に示すように、蓄光性塗膜層５の表面に、さらに耐傷性のある樹脂で透明なハードコート層６を形成し、使用耐久性を向上させることが好ましい。
ハードコート層６は、耐傷性を高め、さらに好ましくは、薬品、紫外線、温度、湿度などの外的要因からプラスチックを保護することも可能なものであり、例えばメラミン樹脂、ウレタン樹脂、アクリル樹脂などの比較的硬質かつ透明な樹脂で形成することができ、より好ましくは紫外線硬化型の多官能アクリル樹脂を用いて、より硬質に形成することが好ましい。
【００３３】
このようにして一対の棒状部２、１２の表面を覆うように、蓄光性顔料を含有する蓄光性塗膜層５を設け、さらにその上に耐傷性のある樹脂で透明なハードコート層６を設けた盲導犬のハーネス用ハンドルＡは、図１に示すように使用される際、盲導犬Ｃおよび視覚障害者である使用者Ｂの存在を、夜間の照明のない路上等でも充分にアピールできるものであるから、交通事故を避ける可能性を高めて安全性が格段に向上するものである。
【符号の説明】
【００３４】
１  把持部
２、１２  棒状部
３  係止具
３ａ  回転リング部分
３ｂ  トリガー
４  ハーネス
５  蓄光性塗膜層
６  ハードコート層
７  芯材
８  外装材
８ａ  環状部
９  リング
Ａ  ハーネス用ハンドル
Ｂ  使用者
Ｃ  盲導犬
【図１】
0003211122.tif 000003
【図２】
0003211122.tif 000004
【図３】
0003211122.tif 000005
【図４】
0003211122.tif 000006